(57)【要約】【課題】  助手席の乗員のみが車両走行中でも所定の制限なくナビゲーション装置を操作することができるナビゲーション装置を提供する。【解決手段】  助手席の乗員の指紋を登録する場合は、車両が走行中に同時に左手の指を指紋センサ２５にあて、右手の指を指紋センサ２６にあてる。助手席の乗員の２つの指の指紋は指紋イメージ像として読み込まれ、記憶される。助手席の乗員は、車両走行中にナビゲーション装置１を操作する場合は、助手席ドア２７側の指紋センサ２５に、指紋の登録をしたときと同じ左手の指をあてる。そして、記憶された指紋イメージより助手席の乗員であるか認証する。助手席の乗員と認証されると、ナビゲーション装置１を制限なく操作することが可能となる。【選択図】図２
2007132678.tif 000002
【特許請求の範囲】
【請求項１】
車両の走行を検出する検出手段と、
前記車両の助手席の乗員の指紋を読み込む指紋センサと、
前記車両の走行中に前記車両の助手席の乗員の指紋を指紋センサで読み込み、記憶する指紋記憶手段と、
前記指紋センサによって読み込まれた指紋が前記指紋記憶手段によって記憶されている指紋と同一である場合は、前記車両の走行中においても所定の制限なく操作することができ、前記指紋センサによって読み込まれた指紋が前記指紋記憶手段によって記憶されている指紋と同一でない場合は、前記車両の走行中においては所定の操作しかできない操作制御手段とを備えることを特徴とするナビゲーション装置。
【請求項２】
請求項１に記載のナビゲーション装置において、
少なくとも２つの指紋センサを備え、
前記指紋記憶手段は、前記車両の走行中に前記車両の助手席の乗員が同時に前記２つの指紋センサに両手のそれぞれの指をあてて指紋を読み込むことを特徴とするナビゲーション装置。
【請求項３】
請求項１に記載のナビゲーション装置において、
前記指紋センサは前記車両の運転者が運転操作中に手が届かない位置に設けられていることを特徴とするナビゲーション装置。
【請求項４】
請求項１乃至３のいずれか１項に記載のナビゲーション装置において、
前記操作制御手段は、前記指紋センサによって読み込まれた指紋が前記指紋記憶手段によって記憶されている指紋と同一である場合は、前記車両の走行中においても前記ナビゲーション装置を操作することができ、前記指紋読み込み手段によって読み込まれた指紋が前記指紋記憶手段によって記憶されている指紋と同一でない場合は、前記車両の走行中においては前記ナビゲーション装置を操作することができないことを特徴とするナビゲーション装置。
【発明の詳細な説明】
【技術分野】
【０００１】
本発明は、車両走行中は所定の機能のみの操作に制限されるナビゲーション装置に関する。
【背景技術】
【０００２】
表示部周辺の一角に赤外線発光ダイオードと赤外線受光ダイオードを設置したナビゲーション装置が従来技術として知られている。助手席側から腕を伸ばすと赤外線受光ダイオードから発光された赤外線が腕に反射されるため、赤外線発光ダイオードが発光した赤外線が赤外線受光ダイオードに受光されるまでの時間が短くなる。このため、表示部周辺の一角に設けた赤外線発光ダイオードと赤外線受光ダイオードによって助手席に座っている乗員がナビゲーション装置を操作したことを検出することができる。そして、走行中は操作できないナビゲーション装置であっても助手席に座っている乗員であれば走行中にナビゲーション装置を操作することができる（特許文献１）。
【特許文献１】特開平７−３０６０５５号公報
【発明の開示】
【発明が解決しようとする課題】
【０００３】
特許文献１に記載されているナビゲーションのように操作スイッチが表示部の右側に設置されていれば、表示部周辺の一角に設けた赤外線発光ダイオードと赤外線受光ダイオードによって助手席に座っている乗員がナビゲーション装置を操作したことを検出することができる。しかし、実際の操作スイッチの位置は表示部の右側であるとは限らない。たとえば、操作スイッチを表示部の下部に設けた場合、助手席側から腕を伸ばしても腕が検出されなかったり、また、運転席側から腕を伸ばしても助手席側から伸ばした腕として検出されてしまう可能性がある。したがって、確実に助手席側に座っている乗員の操作であることが検出できないという問題点がある。
【課題を解決するための手段】
【０００４】
（１）請求項１の発明のナビゲーション装置は、車両の走行を検出する検出手段と、車両の助手席の乗員の指紋を読み込む指紋センサと、車両の走行中に車両の助手席の乗員の指紋を指紋センサで読み込み、記憶する指紋記憶手段と、指紋センサによって読み込まれた指紋が指紋記憶手段によって記憶されている指紋と同一である場合は、車両の走行中においても所定の制限なく操作することができ、指紋センサによって読み込まれた指紋が指紋記憶手段によって記憶されている指紋と同一でない場合は、車両の走行中においては所定の操作しかできない操作制御手段とを備えることを特徴とする。
（２）請求項２の発明は、請求項１に記載のナビゲーション装置において、少なくとも２つの指紋センサを備え、指紋記憶手段は、車両の走行中に車両の助手席の乗員が同時に２つの指紋センサに両手のそれぞれの指をあてて指紋を読み込むことを特徴とする。
（３）請求項３の発明は、請求項１に記載のナビゲーション装置において、指紋センサは車両の運転者が運転操作中に手が届かない位置に設けられていることを特徴とする。
（４）請求項４の発明は、請求項１乃至３のいずれか１項に記載のナビゲーション装置において、作制御手段は、指紋センサによって読み込まれた指紋が指紋記憶手段によって記憶されている指紋と同一である場合は、車両の走行中においてもナビゲーション装置を操作することができ、指紋読み込み手段によって読み込まれた指紋が指紋記憶手段によって記憶されている指紋と同一でない場合は、車両の走行中においてはナビゲーション装置を操作することができないことを特徴とする。
【発明の効果】
【０００５】
本発明によれば、助手席の乗員であることを指紋センサにより認証するので、ナビゲーション装置の操作が助手席の乗員の操作であることを確実に検出することができる。したがって、車両走行中も助手席の乗員のみが所定の制限なくナビゲーション装置を操作することができる。
【発明を実施するための最良の形態】
【０００６】
本発明の一実施形態によるナビゲーション装置の構成を図１に示す。図１のナビゲーション装置１は、指紋センサ１１０によってナビゲーション装置１を操作する者が助手席の乗員であることを検出することができる。ナビゲーション装置１は、制御回路１１、ＲＯＭ１２、ＲＡＭ１３、現在地検出装置１４、画像メモリ１５、表示モニタ１６、入力装置１７、ディスクドライブ１８および指紋センサ１１０を有している。
【０００７】
指紋センサ１１０は、指紋センサ１１０に触れた指の指紋イメージ像を読み込み、そして出力する装置である。指紋イメージ像は制御回路１１へ出力され、登録された助手席の乗員の指紋イメージ像と照合され、助手席の乗員であるか否か認証される。登録された助手席の乗員の指紋イメージ像はＲＡＭ１３に記憶される。
【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１９に記憶された地図データに基づいて所定の経路探索処理を行うと、その処理結果が推奨ルートとして表示モニタ１６に表示される。また、指紋センサ１１０に指紋イメージ像を読み込ませ、そして、指紋イメージ像を照合し認証する処理も制御回路１１において行う。
【０００９】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【００１０】
画像メモリ１５は、表示モニタ１６に表示するための画像データを格納する。この画像データは道路地図描画用データや各種の図形データからなり、それらはディスクドライブ１８によって読み込まれるＤＶＤ−ＲＯＭ１９に記憶された地図データに基づいて、適宜生成される。ナビゲーション装置１は、このようにして生成された画像データを用いることによって地図表示など行うことができる。
【００１１】
表示モニタ１６は、地図データなどの各種情報に基づいて、自車位置付近の道路地図などの各種情報を画面表示として乗員に提供する。入力装置１７は、乗員が各種コマンドを設定するための入力スイッチを有する。乗員は、表示モニタ１６の表示画面の指示に従って入力装置１７を手動で操作することにより、目的地を選択して目的地を設定する。
【００１２】
ディスクドライブ１８には、表示モニタ１６に表示する地図データが記録されたＤＶＤ−ＲＯＭ１９が装填される。地図データは、地図表示用データ、経路探索用データなどを含む。経路探索用データには、地図データに格納されている道路のリンク情報およびノード情報が含まれている。地図表示用データは、広域から詳細まで複数の縮尺の地図データを有し、乗員の要求にしたがって、表示地図の縮尺を変更することができる。ディスクドライブ１８は、装填されたＤＶＤ−ＲＯＭ１９から、表示モニタ１６へ地図を表示するための地図データを読み出す。なお、ＤＶＤ−ＲＯＭ１９以外の他の記録メディア、たとえばＣＤ−ＲＯＭやハードディスクなどより地図データを読み出してもよい。
【００１３】
目的地が乗員により設定されると、ナビゲーション装置１はＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、乗員は地図上の探索ルートを画面上で認識することができる。また、ナビゲーション装置１は、探索ルートにしたがって車両が走行できるように、乗員に対して画面や音声などによる進行方向指示を行い、車両を経路誘導する。
【００１４】
本発明の実施形態におけるナビゲーション装置の助手席の乗員の操作について、図２を参照して説明する。図２は車両のインストルメント部２０を示した図である。インストルメント部２０には、インストルメントパネル２１、ハンドル２２、メータ類２３、グローブボックス２４、ナビゲーション装置１などのほかに、２つの指紋センサ２５，２６が設けられている。２つの指紋センサ２５，２６のうち１つの指紋センサ２５は運転者が運転操作中に手が届かない位置、たとえばインストルメントパネル２１の助手席ドア２７側に設けられる。また、２つの指紋センサ２５，２６のうちほかの指紋センサ２６は、インストルメントパネル２１の中央側に設けられる。また、車両走行中の安全のため、車両走行中の操作は、表示モニタ１６に表示される道路地図のスクロールおよび縮尺率の変更のみに制限される。
【００１５】
ナビゲーション装置１の操作を行う前に、助手席の乗員は指紋の登録を行う。助手席の乗員の指紋の登録は次のようにして行う。乗員は、ナビゲーション装置の表示モニタ１６に表示された不図示の登録メニューから「指紋の登録」を入力装置１７により選択する。そして、車両の走行中に、左手の指を指紋センサ２５に、右手の指を指紋センサ２６に同時にあてる。助手席の乗員の左右２つの指の指紋は指紋イメージ像として読み込まれ、ＲＡＭ１３に記憶される。そして、指紋は登録され、登録は完了する。車両の停止中は、指紋センサ２５および２６に指をあてても登録されない。停車中も登録可能とすると運転者も指紋を登録することができるからである。
【００１６】
次に、車両走行中における助手席の乗員のナビゲーションの操作について説明する。助手席の乗員は、車両走行中にナビゲーション装置１を操作する場合は、助手席ドア２７側の指紋センサ２５に、指紋の登録をしたときと同じ左手の指をあてる。ナビゲーション装置１は、指紋イメージを読み込み、助手席の乗員であるか認証する。助手席の乗員と認証されると、助手席の乗員は、指紋センサ２５に左手の指をあてながら、車両走行中にもかかわらず所定の制限なくナビゲーション装置１を操作することができる。
【００１７】
次に本発明の実施形態によるナビゲーション装置の入力装置の操作処理を図３のフローチャートを参照して説明する。図３の処理は、車両のエンジンのイグニッションスイッチがオンされるとスタートするプログラムにより、制御回路１１において実行される。
【００１８】
ステップＳ３０１では、入力装置１７が操作されたか判定する。操作された場合はステップＳ３０１が肯定判定され、ステップＳ３０２へ進む。操作されていない場合はステップＳ３０１を繰り返す。ステップＳ３０２では、車速センサ１４ｂから検出される車速に基づいて車両は走行中か判定する。走行中の場合はステップＳ３０２が肯定判定され、ステップＳ３０３へ進む。停止中の場合はステップＳ３０２が否定判定され、ステップＳ３０５へ進む。ステップＳ３０３では、助手席ドア２７側の指紋センサ２５から指紋イメージを読み込めたか判定する。読み込めた場合はステップＳ３０３が肯定判定され、ステップＳ３０４へ進む。読み込めない場合はステップＳ３０３が否定判定され、ステップＳ３０６へ進む。
【００１９】
ステップＳ３０４では、ＲＡＭ１３に記憶され登録されている助手席の乗員の指紋イメージと照合して、指紋センサ２５から読み込んだ指紋が助手席の乗員の指紋であるかを判定する。助手席の乗員の指紋の指紋イメージ像はＲＡＭ１３に記憶されている指紋イメージ像と照合され、指紋が同一であるか判断される。そして、指紋が同一の場合は助手席の乗員の指紋であると判定され、指紋が同一でない場合は助手席の乗員の指紋ではないと判定される。助手席の乗員の指紋である場合はステップＳ３０４が肯定判定され、ステップＳ３０５へ進む。助手席の乗員の指紋でない場合はステップＳ３０４が否定判定され、ステップＳ３０６へ進む。ステップＳ３０５では、ナビゲーション装置１の操作を制限しない。ステップＳ３０６では、ナビゲーション装置１の操作を道路地図のスクロールや縮尺率の変更などの所定の操作に制限する。
【００２０】
以上の実施の形態によるナビゲーション装置１は、次のような作用効果を奏する。
（１）助手席の乗員であることを指紋センサ２５により認証するので、ナビゲーション装置１の操作が助手席の乗員の操作であることを確実に検出することができる。したがって、助手席の乗員のみが車両走行中でも所定の制限なくナビゲーション装置１を操作することができる。
（２）車両走行中に、２つの指紋センサ２５，２６に同時に指をあて指紋イメージを読み込み、助手席の乗員の指紋イメージとして登録する。ところで車両走行中は、運転者はハンドル２２を握っているので、同時に２つの指紋センサに指をあてることはできない。したがって、運転者の指紋を助手席の乗員として登録することができず、運転者が車両走行中に制限されている操作を行うことを確実に防止することができる。
【００２１】
（３）運転者が運転操作中に手が届かない位置にある指紋センサ２５を使用して、助手席の乗員の指紋を登録する。したがって、運転者の指紋を助手席の乗員として登録することができず、運転者が車両走行中に制限されている操作を行うことを確実に防止することができる。
（４）運転者が運転操作中に手が届かない位置にある指紋センサ２５に指をあてながら、助手席の乗員はナビゲーション装置１の操作を制限なしに行うことができる。したがって、運転者は運転しながら指紋センサ２５に指をあててナビゲーション装置１の操作をすることができず、運転者が車両走行中に制限されている操作を行うことを確実に防止することができる。
【００２２】
以上の実施の形態のナビゲーション装置１を次のように変形することができる。
（１）図４に示すように、ハンドル２２の握り部の２箇所に感圧センサ４１，４２を設け、２箇所の感圧センサ４１，４２が圧力を検出しているときのみ、車両走行中でも所定の制限なくナビゲーション装置１を操作できるようにしてもよい。２箇所の感圧センサ４１，４２が圧力を検出しているときは、運転者が２本の手でハンドル２２を握っているときであり、このとき、運転者はナビゲーション装置１を操作することができない。したがって、確実に助手席の乗員のみが車両走行中でも所定の制限なくナビゲーション装置１が操作できる。
（２）２つの指紋センサ２５，２６が設ける場合、運転者が片手の２本の指を同時にあてることのできない位置であれば、２つの指紋センサ２５，２６の設置位置は実施の形態に限定されない。たとえば、１つの指紋センサ２５はグローブボックス２４の左上方に、ほかの指紋センサ２６は、グローブボックス２４の右上方に設けてもよい。
【００２３】
（３）２つの指紋センサ２５，２６が設けられているが、運転者が運転操作中に手が届かない位置にある指紋センサ２５のみ設けてもよい。
（４）ナビゲーション装置１は、車両走行中は、表示モニタ１６に表示される道路地図のスクロールおよび縮尺率の変更のみの操作に制限され、その他の操作をすることはできないものであるが、車両走行中は何も操作することができないものであってもよい。そして、操作する者が助手席の乗員と認証されると、車両走行中でも操作できるようにしてもよい。
【００２４】
特許請求の範囲の要素と実施の形態との対応関係を説明する。
本発明の検出手段は車速センサ１４ｂに対応し、指紋記憶手段は制御回路１１とＲＡＭ１３に対応する。操作制御手段は制御回路１１に対応する。なお、以上の説明はあくまで一例であり、発明を解釈する上で、上記の実施形態の構成要素と本発明の構成要素との対応関係になんら限定されるものではない。
【図面の簡単な説明】
【００２５】
【図１】本発明の実施形態のナビゲーション装置の構成を示すブロック図である。
【図２】車両のインストルメント部を説明するための図である。
【図３】本発明の実施形態によるナビゲーション装置の入力装置の操作処理を説明するためのフローチャートである。
【図４】他の実施形態の車両のインストルメント部を説明するための図である。
【符号の説明】
【００２６】
１  ナビゲーション装置
１１  制御回路
１３  ＲＡＭ
１４ｂ  車速センサ
１６  表示モニタ
１７  入力装置
２０  インストルメント部
２１  インストルメントパネル
２２  ハンドル
２３  メータ類
２４  グローブボックス
２５，２６，１１０  指紋センサ
２７  助手席ドア
４１，４２  感圧センサ
【図１】
2007132678.tif 000003
【図２】
2007132678.tif 000004
【図３】
2007132678.tif 000005
【図４】
2007132678.tif 000006